(57)【要約】【課題】遠心分離を必要とすることなく、かつ血液を凝固させることなく、採取された血液から血清と、一定量の血球とを検体として取り出すことが可能な真空採血管を提供する。【解決手段】筒状体２の第１の端部２ａに栓体３が取り付けられて内部が減圧されており、筒状体２内において、採取された血液を血球と血清とに分離することを可能とする血液分離フィルタ部材５が配置されており、該血液分離フィルタ部材５の上流側に一定量の血球を回収することを可能とする血球回収部材８が筒状体２に対して着脱自在に固定されている、真空採血管１。【選択図】図１
2008245778.tif 000002
【特許請求の範囲】
【請求項１】
第１，第２の端部を有し、第１の端部が開口されている筒状体と、
前記筒状体内に配置されており、筒状体内に採取された血液を濾過分離し、血清を得ることを可能とする血液分離フィルタ部材と、
前記筒状体の前記第１の端部に設けられた開口を気密的に閉栓するように取り付けられており、中空針が刺通されて内部に血液を導くことを可能とする栓体とを備え、
内部が減圧されている真空採血管において、
前記血液分離フィルタ部材の上流側に配置されており、かつ前記筒状体内から取り出し得るように前記筒状体内に着脱自在に固定されている血球回収部材をさらに備え、該血球回収部材が、血液が流下する際に一定量の血球を保持する血球保持部材と、該血球保持部材を支持しており、かつ前記筒状体内に着脱自在に固定されている支持部材とを備えることを特徴とする、真空採血管。
【請求項２】
前記血球回収部材が、前記支持部材に一端が連結されており、他端が前記筒状体の第１の端部または第２の端部に向かって延ばされた把持部をさらに備える、請求項１に記載の真空採血管。
【請求項３】
前記支持部材が、中央に開口を有する環状部材からなり、該開口を閉成するように前記血球保持部材が前記支持部材に固定されている請求項１または２に記載の真空採血管。
【請求項４】
前記筒状体の内面に、前記支持部材の前記第２の端部側への移動を係止する内方突出部が設けられており、該内方突出部により、前記血球回収部材の前記支持部材が係止されている、請求項１〜３のいずれか１項に記載の真空採血管。
【請求項５】
前記血球回収部材が、前記栓体の内側端に固定されており、前記栓体とともに前記筒状体から取り外し得るように構成されている、請求項１または２に記載の真空採血管。
【発明の詳細な説明】
【技術分野】
【０００１】
本発明は、遠心分離を行うことなく血液から血清を分離することを可能とする真空採血管に関し、より詳細には、血清だけでなく、所定量の血球を取り出すことを可能とする真空採血管に関する。
【背景技術】
【０００２】
臨床検査等においては、真空採血管を用いて血液を採取し、採取された血液を血漿もしくは血清と、血餅もしくは血球とに分離し、血漿や血清の分析が広く行われている。このような真空採血管としては、血清を得るために、血液を内部で凝固させた後に、遠心分離し、血清を得るのに用いられる第１のタイプの真空採血管と、採取された血液を凝固させることなく遠心分離を行い、血漿を得るための第２のタイプの真空採血管が存在する。
【０００３】
第１のタイプの真空採血管では、遠心分離後に、上澄みとしての血清を取り出すことができる。この場合、血球は血液中のフィブリノゲンが架橋してなるフィブリンに絡め捕られ、血餅を形成しているため、血球そのものを分離することはできなかった。従って、血清だけでなく、血球を分析する必要がある場合には、別途、上記タイプ２の真空採血管を用意しなければならなかった。そのため、採血に際しての真空採血管の本数が増加するため、被験者の負担が大きく、また採血の手間も煩雑であった。
【０００４】
他方、下記の特許文献１には、血液を凝固させずに血清を得ることを可能とする真空採血管が開示されている。この真空採血管では、血液が内部に採取されるが、該血液が内部に配置された血液分離フィルタにより濾過されることにより、濾液としての血清を得ることができる。
【特許文献１】特許第３８０９４５７号
【発明の開示】
【発明が解決しようとする課題】
【０００５】
特許文献１に記載の真空採血管を用いた場合、内部の血液分離フィルタによりフィブリノゲンが吸着されるため、血液を凝固させずに血清を得ることができる。従って、血清を得るに際しての時間を短縮することができる。しかしながら、特許文献１に記載の真空採血管を用いたとしても、血清は得ることができるものの、上記血液分離フィルタに血球が捕捉され、かつフィブリノゲンも吸着されている。従って、血球のみを取り出すことはできなかった。
【０００６】
本発明の目的は、上述した従来技術の現状に鑑み、血液を凝固させることなく、かつ煩雑な遠心分離操作を必要とすることなく、血清を採取し得るだけでなく、血球をも取り出し、検査に供することができる真空採血管を提供することにある。
【課題を解決するための手段】
【０００７】
本発明に係る真空採血管は、第１，第２の端部を有し、第１の端部が開口されている筒状体と、前記筒状体内に配置されており、筒状体内に採取された血液を濾過分離し、血清を得ることを可能とする血液分離フィルタ部材と、前記筒状体の前記第１の端部に設けられた開口を気密的に閉栓するように取り付けられており、中空針が刺通されて内部に血液を導くことを可能とする栓体とを備え、内部が減圧されている真空採血管において、前記血液分離フィルタ部材の上流側に配置されており、かつ前記筒状体内から取り出し得るように前記筒状体内に着脱自在に固定されている血球回収部材をさらに備え、該血球回収部材が、血液が流下する際に一定量の血球を保持する血球保持部材と、該血球保持部材を支持しており、かつ前記筒状体内に着脱自在に固定されている支持部材とを備えることを特徴とする。
【０００８】
本発明に係る真空採血管では、好ましくは、前記血球回収部材が、前記支持部材に一端が連結されており、他端が前記筒状体の第１の端部または第２の端部に向かって延ばされた把持部がさらに備えられている。従って、筒状体の第１の端部または第２の端部に向かって延ばされた把持部を検査従事者がピンセット等を用いて把持することにより、血液回収部材を筒状体内から容易に取り出すことができる。従って、真空採血管から血球を速やかに取り出し、検査に供することができる。
【０００９】
好ましくは、前記支持部材が、中央に開口を有する環状部材からなり、該開口を閉成するように前記血球保持部材が前記支持部材に固定されている。この場合には、環状部材の開口を閉成するように血球保持部材が固定されているので、開口を閉成するように固定されている血球保持部材により、多くの血球を速やかに捕捉し、取り出すことができる。
【００１０】
また、上記開口を閉成するように固定されている血球保持部材の面積を制御することにより、一定量の血球をより確実に保持することができる。
【００１１】
本発明の真空採血管では、好ましくは、前記筒状体の内周面に、前記支持部材の前記第２の端部側への移動を係止する内方突出部が設けられており、該内方突出部により、前記血球回収部材の前記支持部材が係止されている。この場合には、内方突出部により支持部材が係止されているので、真空採血管の筒状体内において、支持部材を、血液分離フィルタ部材の上流側に確実に配置することができる。
【００１２】
好ましくは、前記血球回収部材が、前記栓体の内側端に固定されており、前記栓体とともに前記筒状体から取り外し得るように構成されている。この場合には、栓体を筒状体から取り外すことにより、栓体とともに、血球回収部材を筒状体から取り外し、血球回収部材に保持されている血球を筒状体から容易に取り出すことができる。
【発明の効果】
【００１３】
本発明に係る真空採血管では、上記血液分離フィルタ部材の濾過に際しての上流側に血球回収部材が配置されているので、筒状体内に採取された血液が血液分離フィルタ部材で濾過される前に、上記血球回収部材の上記血球保持部材により一定量の血球が保持される。そして、血球回収部材を通過した血液は、下流側の血液分離フィルタ部材により、残りの血球と、血清とに分離される。また、該血球回収部材が筒状体内から取り出し得るように筒状体内において着脱自在に固定されているので、筒状体から上記血球回収部材を容易に取り出すことができ、それによって、血球保持部材に保持されていた一定量の血球を容易に取り出すことができる。
【００１４】
よって、本発明によれば、遠心分離を必要とすることなく、また血液を凝固させることなく、速やかに血清と血球とを得ることができ、しかも血清だけでなく、上記血球回収部材を取り出すことにより、血球も検査に速やかに提供することが可能となる。
【発明を実施するための最良の形態】
【００１５】
以下、図面を参照しつつ本発明の具体的な実施形態を説明することにより、本発明を明らかにする。
【００１６】
図１（ａ），（ｂ）は、本発明の第１の実施形態に係る真空採血管の正面図及び正面断面図である。本実施形態の真空採血管１は、有底の筒状体２を有する。該筒状体２は、ガラスもしくは合成樹脂などの適宜の材料からなり、好ましくは、内部を観察することが可能であるため、透明な合成樹脂またはガラスにより形成される。また、破損し難いため、好ましくは合成樹脂により筒状体２が構成される。使用し得る合成樹脂については特に限定されず、ポリプロピレン、ポリエチレンテレフタレートなどを挙げることができる。
【００１７】
上記筒状体２は、略円筒状の形状有し、第１の端部２ａに開口を有する。この開口に、栓体３が取り付けられ、筒状体２内が気密封止されている。筒状体２の第２の端部２ｂは閉じられている。
【００１８】
他方、栓体３は、真空採血管１内を気密封止し得る限り、適宜の弾性体により形成され得る。このような弾性体としては、天然ゴムもしくは合成ゴムまたはエラストマーを挙げることができる。
【００１９】
上記栓体３は、大径部３ａと、大径部３ａよりも小さな径の中径部３ｂと、中径部３ｂよりさらに小さな径の小径部３ｃとを有する。上記中径部３ｂが、筒状体２の第１の端部２ａの開口内に圧入され、筒状体２内を気密封止している。大径部３ａは、筒状体２の上記開口よりも大きな径を有している。
【００２０】
また、栓体３は、中央に薄肉部３ｄを有する。薄肉部３ｄは、真空採血針により刺通されやすいように、その厚みが残りの部分よりも薄くされている部分である。
【００２１】
真空採血管１内には、内管４が挿入されている。内管４は、円筒状の形状を有する。また、内管４の下方端を係止するために、筒状体２の内側面に段差部２ｃが形成されている。段差部２ｃよりも下方に比べて、段差部２ｃの上方の肉厚が薄くされており、すなわち段差部２ｃよりも上方において筒状体２の内径が大きくされている。上記内管４の外径は、筒状体２の内径が大きい部分の内径に等しい外径を有し、図示のように、筒状体２内に開口２ａから挿入されている。そして、上記内管４の下端が、上記段差２ｃにより係止され、それによって内管４が、図１（ｂ）に示す高さ位置に配置されている。
【００２２】
内管４は、筒状体２と同様に、適宜の合成樹脂により形成され得る。また、内管４もまた、内部の観察を容易とするために、透明性を有する合成樹脂からなることが望ましい。このような合成樹脂としては、ポリプロピレン、ポリエチレンテレフタレートなどを例示することができる。
【００２３】
内管４の上端は開口しており、この開口に、栓体３の中径部３ｃが圧入されている。それによって、内管４の上方開口が、栓体３により気密封止されている。
【００２４】
他方、内管４内には、血液分離フィルタ部材５が配置されている。
【００２５】
血液分離フィルタ部材５は、遠心分離を行わずとも、かつ血液を凝固させることなく、血液を、血球と血清とに分離し得る適宜のフィルタ材料からなる。このような血液分離フィルタ部材５を構成するフィルタ材料は、血液から血球と血清とを遠心分離することなく分離し得る限り、適宜のフィルタ材料により形成され得る。このようなフィルタ材料については、後程詳述する。なお、血球とは、赤血球、白血球及び血小板を含むものとする。
【００２６】
血液分離フィルタ部材５の下方には、血球停止膜６が配置されている。血球停止膜６は、誤って血液分離フィルタ部材５から下方に流下してきた血球が下流側に流れることを防止するために設けられている。このような血球停止膜６としては、血球よりも小さな径を有する多孔性膜を適宜用いることかできる。このような多孔性膜の材料についても、フッ素樹脂、ポリプロピレン等の適宜の合成樹脂フィルムを用いることができる。
【００２７】
血球停止膜６の下方には、内管４と一体に形成された下方突出部７が設けられており、下方突出部７の内部には、中空流路７ａが形成されている。この中空流路７ａから、血清が下方に流下され得るように構成されている。
【００２８】
本実施形態の真空採血管１の特徴は、筒状体２内において、上記血液分離フィルタ部材５の上流側に、血球回収部材８が筒状体２内から取り出し得るように筒状体２内に着脱自在に固定されていることにある。
【００２９】
図２（ａ）〜（ｃ）に示すように、血球回収部材８は、環状部材からなる支持部材８ａを有する。支持部材８ａは、中央に開口８ｂを有する。上記開口８ｂを閉成するように、支持部材８ａに、血球保持部材８ｃが固定されている。また、支持部材８ａの一方面から、上方に延ばされた把持部材８ｄが設けられている。図１（ｂ）から明らかなように、把持部材８ｄは、筒状体２内において、第１の端部２ａ側に延ばされている。
【００３０】
上記把持部材８ｄ及び支持部材８ａは、ポリプロピレン、ポリエチレンテレフタレートなどの適宜の合成樹脂により一体に形成することができる。もっとも、把持部材８ｄは、支持部材８ａと別部材で形成され、接着等により支持部材８ａに接合されていてもよい。
【００３１】
他方、血球保持部材８ｃは、血液が供給された際に、一定量の血球を保持し得る適宜の血球保持性フィルタ材料により形成され得る。
【００３２】
このような血球保持性フィルタ材料としては、遠心分離操作や血液を凝固させる操作を必要とすることなく、一定量の血球を捕捉し得る適宜のフィルタ材料を用いることができる。このような血球保持部材８ｃを構成する血球保持性フィルタ材料としては、例えば、繊維体が集積されたフィルタ材料を挙げることができる。このような繊維体が集積された血球保持性フィルタ材料を構成する上記繊維の材料としては、ポリエステル、ポリエチレン、ポリプロピレンまたはポリアミドなどの合成高分子からなる繊維を好適に用いることができる。また、上記繊維としては、ガラス繊維や多孔性高分子繊維なども好適に用いられる。
【００３３】
必要に応じて、上記血球保持性フィルタ材料表面は親水化処理される。このような親水化処理を行うための表面処理は、特に限定されないが、ポリエーテル系もしくはシリコーン系の潤滑剤、ポリビニルアルコールまたはポリビニルピロリドンなどの親水性高分子類、さらには天然の親水性高分子類、高分子界面活性剤などを用いた表面処理が挙げられる。また、上記血球保持性フィルタ材料の表面は、酸化剤により化学処理されて親水性が高められていてもよく、プラズマ処理やコロナ放電処理などにより親水性が高められていてもよい。
【００３４】
また、上記繊維体が集積されたフィルタ材料における平均繊維径は、特に限定されないが、０．５〜２０μｍの範囲であることが望ましい。平均繊維径が０．５μｍより小さいと、血球が破壊し、溶血を起こしやすくなる。平均繊維径が２０μｍよりも大きくなると、繊維間の空隙が大きくなり過ぎて血球を補足しにくくなる。分離効果をより一層高めるためには、平均繊維径は０．５〜２．５μｍの範囲にあることが望ましい。なお、一定量の血球成分を保持し得るフィルタ材料である限り、上記繊維体を集積したフィルタ材料に限らず、血球を停止し得る貫通孔が形成された多孔性膜により上記血球保持性フィルタ材料を形成してもよい。なお、後述する血液分離フィルタは上記の範囲に含まれるため、血球保持性フィルタとしても好適に用いられる。
【００３５】
図１に戻り、本実施形態の真空採血管１では、筒状体２の内周面に、内方突出部２ｄが設けられている。この内方突出部２ｄは、上記血液分離フィルタ部材５の上流側に設けられている。また、内方突出部２ｄが設けられているため、内方突出部２ｄの上面に、上記血球回収部材８の支持部材８ａの下面が当接し、それによって血球回収部材８が係止されている。なお、上記血球回収部材８は、上記内方突出部２ｄの上面に当接されて係止されているだけであり、筒状体２内に着脱自在に固定されている。
【００３６】
上記血液分離フィルタ部材５を構成するフィルタ材料についても、遠心分離を施さず、凝固操作を行わずとも、血液を濾過速度の差により血球と血清とに分離し得る適宜のフィルタ材料を用いることかできる。例えば、繊維体が集積されたフィルタ材料を挙げることができる。このような繊維体が集積された血球保持性フィルタ材料を構成する上記繊維の材料としては、ポリエステル、ポリエチレン、ポリプロピレンまたはポリアミドなどの合成高分子からなる繊維を好適に用いることができる。また、上記繊維としては、ガラス繊維や多孔性高分子繊維なども好適に用いられる。また、上記繊維体が集積されたフィルタ材料における平均繊維径は、特に限定されないが、０．５〜３．０μｍの範囲であることが望ましい。平均繊維径が０．５μｍより小さいと、血球が破壊し、溶血を起こしやすくなる。平均繊維径が３．０μｍよりも大きくなると、血球と、血清とを分離するためにフィルタ材料を高密度にかつ多く用いなければならない。従って、コストが高くつくおそれがある。分離効果をより一層高めるためには、平均繊維径は０．５〜２．５μｍの範囲にあることが望ましい。図１（ｂ）では、このような繊維体を集積してなる複数枚のシートがシート面が第１，第２の端部２ａ，２ｂを結ぶ方向となるようにして積層されて、内管４内に圧入されている。もっとも、血液分離フィルタ部材５は、このようなシート状材料とされる必要は必ずしもなく、また筒状体２内における配置についても血液から、血球と血清とを分離し得る限り、適宜の形態で配置することができる。
【００３７】
真空採血管１内は、予め減圧されている。この減圧は、通常の真空採血管と同様に、患者などから血液を採取するため及び後述の濾過作業を行うためである。
【００３８】
次に、本実施形態の真空採血管１の使用方法を説明することにより、その効果を明らかにする。
【００３９】
まず、真空採血法に従って、真空採血管１内に血液を採取する。この場合、真空採血針の中空針により、栓体３の薄肉部３ｄを刺通し、該中空針の先端を、栓体３と血球回収部材８との間に位置させる。その結果、真空採血管１内が減圧されているので、血液が、筒状体２内、すなわち内管４内に採取される。
【００４０】
採取された血液がまず、血球回収部材８に到達し、血球回収部材８においては、血球保持部材８ｃにおいて、一定量の血球が捕捉される。残りの血球及び血液が、下方にさらに流れ、血液分離フィルタ部材５に至る。血液分離フィルタ部材５では、濾過速度の差により、血球よりも先に、液体成分が下方に流れ、ここでは、フィブリノゲンも吸着される。従って、血清が、上記血球停止膜６に至り、該血球停止膜６を通過して流路７ａから下方に流下される。また、血球保持部材８ｃに捕捉されなかった残りの血球は、血液分離フィルタ５内に至るが、該血球は、血球停止膜６により停止され、下方には至らない。
【００４１】
従って、真空採血管１においては、上記濾過が終了した後に、栓体３を筒状体２から内管４とともに引き抜けば、筒状体２内の血清をピペット等により容易に取り出すことができる。他方、血球については、内管４から栓体３を取り外し、内部の血球回収部材８の把持部８ｄを検査従事者がピンセット等によりつかみ、引き出せばよい。その結果、血球回収部材８の血球保持部材８ｃ上に捕捉された一定量の血球を容易に取り出すことができる。
【００４２】
よって、本実施形態によれば、時間を要する血液の凝固を待たず、かつ煩雑な遠心分離操作を必要とすることなく、血清と血球とを検体として取出すことができる。
【００４３】
上記実施形態では、筒状体２に挿入された内管４内の下方部分に血液分離フィルタ部材５が配置されており、該血液分離フィルタ部材５の上流側に血球回収部材８が、把持部８ｄが栓体３側に延ばされた状態で配置されていた。しかしながら、本発明の真空採血管はこのような構造に限定されるものではない。
【００４４】
本発明の真空採血管の他の実施形態を図３及び図４を参照して説明する。
【００４５】
図３に示す第２の実施形態の真空採血管１１では、筒状体２に栓体３が圧入されている。そして、ここでは、筒状体２の内径よりも小さな径の内管１２が挿入されている。内管１２は、第１の実施形態の内管４と同様の材料で構成され得る。
【００４６】
内管１２の上方には開口が設けられており、該開口に栓体３の小径部３ｃが圧入されている。内管１２の側面には、複数の貫通孔１２ａが設けられている。また、内管１２の内周面に接するように、筒状の血液分離フィルタ部材１３が収納されている。血液分離フィルタ部材１３は、第１の実施形態の血液分離フィルタ部材５と同様の材料で構成されている。また、上記貫通孔１２ａは、血液分離フィルタ部材１３で分離された血清を内管１２の外側に移動することを可能とするように設けられている。
【００４７】
本実施形態では、上記血液分離フィルタ部材１３の上流側に、血球回収部材８が、第１の実施形態の場合とは上下逆向きに配置されている。すなわち、把持部８ｄが、筒状体２の第２の端部２ｂ側に向かって延ばされるように配置されている。血球回収部材８は、第１の実施形態の血球回収部材８と同様に構成されている。本実施形態では、栓体３の小径部３ｃの下面に凹部が形成されており、該凹部に血球回収部材８が支持部材８ａが圧入されることにより嵌合され、固定されている。
【００４８】
その他の部分については、第１の実施形態と同様であるため、同一部分については同一の参照番号を付することによりその説明を省略する。
【００４９】
図４は、本発明の第３の実施形態の真空採血管を示す正面断面図である。第３の実施形態の真空採血管２１では、筒状体２２が、第１の端部２２ａ及び第２の端部２２ｂを有する。ここでは、第１の端部２２ａ及び第２の端部２２ｂの双方に、開口が設けられており、第１の端部２２ａに、第１の栓体２３が圧入され、第２の端部２２ｂの開口に第２の栓体２４が圧入され、真空採血管２１内が気密封止されている。
【００５０】
筒状体２２内には、血液分離フィルタ部材５が圧入されている。血液分離フィルタ部材５は、第１の実施形態の血液分離フィルタ部材５と同様に構成されている。血液分離フィルタ部材５の上流側であって、第１の端部２２ａ側に、段差部２２ｃが形成されており、段差部２２ｃ上に、第１の実施形態の場合と同様にして血球回収部材８が着脱自在に固定されている。血球回収部材８は、第１の実施形態の血球回収部材８と同様に構成されている。
【００５１】
他方、本実施形態では、血液分離フィルタ部材５の下流側に血球停止膜６が配置されている。血球停止膜６は、第１の実施形態の血球停止膜６と同様に構成されている。血球停止膜６は、血球停止膜６の下方に設けられた段差部２２ｄ上に配置されている。段差部２２ｄは、筒状体２の内壁から内側に突出するように設けられており、上記血球停止膜６をその上面に支持している。
【００５２】
他方、血球停止膜６の下方には、分離された血漿もしくは血清を回収する内部空間２２ｅが設けられている。その内部空間２２ｅの下端が、第２の端部２２ｂに至っており、第２の栓体２４により閉成されている。
【００５３】
なお、第２の栓体２４には、合成樹脂等からなるカバー２７が被せられている。
【００５４】
第２及び第３の実施形態の真空採血管１１，２１においても、真空採血法により栓体３または第１の栓体２３に中空針を刺通し、血液を内部導いた場合に、血球回収部材８の血液保持部材８ｃにおいて一定量の血球を採取することができる。他方、血液分離フィルタ部材１３、２６で濾過された血清が、筒状体２，２２の下方の内部空間に採取される。従って、第１の実施形態と同様に、血清と血球とを検体として容易に採取することかできる。
【００５５】
なお、本発明の真空採血管の構造は、上記第１〜第３の実施形態の構造に限定されるものではない。すなわち、血液分離フィルタ部材の上流側に上記血球回収部材が配置され得る限り、真空採血管の内部構造は適宜変形することができる。
【００５６】
また、血球回収部材８についても、上記環状部材からなる支持部材８ａを用いたものに限らず、その形状については適宜変形することができる。例えば、メッシュ状支持部材の片面に、上記血球保持性フィルタ材料からなる血球保持部材８ｃを積層することにより、血球回収部材を形成してもよい。また、血球回収部材８において、把持部材８ｄは必ずしも設けられずともよい。さらに、把持部材は、支持部材８ａの両面に設けられてもよい。
【００５７】
このように、血球回収部材８についても、上記実施形態の構造のものに限定されるものではなく、種々変形することができる。
【図面の簡単な説明】
【００５８】
【図１】（ａ），（ｂ）は、本発明の第１の実施形態に係る真空採血管の正面図及び正面断面図。
【図２】（ａ）は第１の実施形態で用いられている血液回収部材の正面図、（ｂ）は該血液回収部材の平面図、（ｃ）は該血液回収部材の書面断面図。
【図３】本発明の第２の実施形態の真空採血管の正面断面図。
【図４】本発明の第３の実施形態の真空採血管の正面断面図。
【符号の説明】
【００５９】
１…真空採血管
２…筒状体
２ａ，２ｂ…第１，第２の端部
３…栓体
３ａ…大径部
３ｂ…中径部
３ｃ…小径部
３ｄ…薄肉部
４…内管
５…血液分離フィルタ部材
６…血球停止膜
７…突出部
７ａ…流路
８…血球回収部材
８ａ…支持部材
８ｂ…開口
８ｃ…血球保持部材
８ｄ…把持部
１１…真空採血管
１２…内管
１２ａ…貫通孔
１３…血液分離フィルタ部材
２１…真空採血管
２２…筒状体
２２ａ，２２ｂ…第１，第２の端部
２２ｃ…段差部
２２ｄ…段差部
２２ｅ…内部空間
２３…第１の栓体
２４…第２の栓体
２５…内管
２６…血液分離フィルタ部材
【図１】
2008245778.tif 000003
【図２】
2008245778.tif 000004
【図３】
2008245778.tif 000005
【図４】
2008245778.tif 000006